(57)【要約】【課題】運転を停止せずに効率良く、長期間にわたって、絶縁油中の水分を除去できる油入変圧器と、油入変圧器に設置可能な水分除去装置を提供する。【解決手段】本発明による油入変圧器は、鉄心２と巻線３、４とを収容したタンク１と、タンク１に収容された絶縁油６と、タンク１に接続され、タンク１から絶縁油６が流入し、絶縁油６を冷却する冷却器８と、絶縁油６に含まれる水を吸着する第１の吸着剤１７と、第１の吸着剤１７を加熱する加熱装置１８とを備え、冷却器８とタンク１とに接続され、冷却器８から絶縁油６が流入し、タンク１に絶縁油６が流出する水吸着部１９と、絶縁油６に含まれる水を吸着する第２の吸着剤２２を備え、水吸着部１９に接続され、水吸着部１９から流入した絶縁油６に含まれる水を除去する吸着剤再生装置２１を備える。【選択図】図１
2020123682.tif 000002
【特許請求の範囲】
【請求項１】
鉄心と巻線とを収容したタンクと、
前記タンクに収容された絶縁油と、
前記タンクに接続され、前記タンクから前記絶縁油が流入し、前記絶縁油を冷却する冷却器と、
前記絶縁油に含まれる水を吸着する第１の吸着剤と、前記第１の吸着剤を加熱する加熱装置とを備え、前記冷却器と前記タンクとに接続され、前記冷却器から前記絶縁油が流入し、前記タンクに前記絶縁油が流出する水吸着部と、
前記絶縁油に含まれる水を吸着する第２の吸着剤を備え、前記水吸着部に接続され、前記水吸着部から流入した前記絶縁油に含まれる水を除去する吸着剤再生装置と、
を備えることを特徴とする油入変圧器。
【請求項２】
前記加熱装置は、前記絶縁油が、前記冷却器から前記水吸着部に流入せず、前記水吸着部から前記タンクに流出しないときに、前記第１の吸着剤を加熱する、
請求項１に記載の油入変圧器。
【請求項３】
前記吸着剤再生装置は、前記加熱装置が前記第１の吸着剤を加熱したら、前記水吸着部から流入した前記絶縁油に含まれる水を前記第２の吸着剤によって除去する、
請求項２に記載の油入変圧器。
【請求項４】
前記第１の吸着剤は、絶縁紙である、
請求項１に記載の油入変圧器。
【請求項５】
前記絶縁紙は、耐熱紙で構成されている、
請求項４に記載の油入変圧器。
【請求項６】
鉄心と巻線と絶縁油を収容したタンクと、前記絶縁油を冷却する冷却器とを備える油入変圧器に設置可能であり、
前記絶縁油に含まれる水を吸着する第１の吸着剤と、前記第１の吸着剤を加熱する加熱装置とを備え、前記冷却器と前記タンクとに接続され、前記冷却器から前記絶縁油が流入し、前記タンクに前記絶縁油が流出する水吸着部と、
前記絶縁油に含まれる水を吸着する第２の吸着剤を備え、前記水吸着部に接続され、前記水吸着部から流入した前記絶縁油に含まれる水を除去する吸着剤再生装置と、
を備えることを特徴とする水分除去装置。
【発明の詳細な説明】
【技術分野】
【０００１】
本発明は、鉄心と巻線とが絶縁油に浸漬されている油入変圧器と、絶縁油から水分を除去する水分除去装置に関する。
【背景技術】
【０００２】
一般に、油入変圧器は、鉄心と、鉄心に巻かれた電線からなる巻線とが、タンク内の絶縁冷却媒体中に浸漬されている。巻線を構成する電線は、絶縁体で被覆されている。絶縁冷却媒体には、絶縁特性の優れた鉱油が広く用いられる。近年は、絶縁冷却媒体として、鉱油に代わり、生分解性のエステル油が用いられている。
【０００３】
巻線には、絶縁体として、良質の木材パルプからなる紙が大量に用いられている。例えば、巻線リード線の絶縁被覆として、クラフト紙やクレープ紙が用いられている。この他に、巻線内の絶縁冷却媒体の流路を確保するための各種スペーサ、主絶縁を構成する絶縁体、巻線を支持するために巻線の上下に配置された支持絶縁体、リード線バリヤを構成する絶縁筒、及びスペーサとリード線を支持するための腕木の材料として、紙を強圧縮したプレスボードが用いられている。巻線の絶縁は、これらの絶縁紙と絶縁冷却媒体として用いられる鉱油との複合絶縁になっている。
【０００４】
このような油入変圧器に使用されている材料のなかで、鉱油などの絶縁冷却媒体や絶縁紙などの絶縁体は、経年劣化により特性が低下することが知られている。これらの経年劣化による特性低下が、変圧器の経年劣化の要因であり、変圧器の寿命を左右すると考えられている。
【０００５】
電力流通の重要なコンポーネントである油入変圧器には、高い信頼性が要求される。絶縁冷却媒体である鉱油は、酸素や水などが関与して経年劣化を起こすが、その絶縁破壊電圧の低下が小さいことが知られている。鉱油は、変圧器の製造時に適切な脱水処理が行われ、タンク外部からの空気と水分の侵入がなければ、通常は長期間使用することが可能である。また、経年劣化により特性が低下しても、新油と交換する、または脱気ろ過処理などを行うことで、変圧器の運転に支障のない特性を維持することが可能である。
【０００６】
一方、巻線に設けられた絶縁紙は、経年劣化によって、絶縁破壊電圧はほとんど低下しないが、引張強度が低下する。絶縁紙の引張強度の低下は、変圧器の運転の継続に悪影響を与える場合もある。例えば、巻線に雷撃や外部短絡などによりサージ電流が流れると、この際に発生する電磁機械力によって巻線の被覆に引張り力が働く。この巻線の被覆に発生する引張り力よりも絶縁紙の引張強度が低いと、絶縁紙は破壊されて寿命となる。一般には、絶縁紙の巻き替えや巻線の交換が不可能であるため、この絶縁紙の寿命により、変圧器の寿命が決まると考えられている。
【０００７】
絶縁紙は、セルロースを主成分として含む。セルロースは、経年劣化により分解反応を起こす。この分解反応は、（１）酸化反応、（２）加水分解反応、及び（３）熱分解反応の３種類に大別される。酸素が存在するとセルロース中の水酸基が酸化され、カルボニル基やカルボキシル基が生成すると考えられる。一方、水が存在するとセルロース中のエーテル結合が加水分解されると考えられる。加水分解反応でセルロースの主鎖が切断されると、セルロース分子の重合度が低下することから、絶縁紙の引張強度が低下すると考えられる。また、（１）の酸化反応などで生成したカルボキシル基が、この酸化反応に対して触媒作用を示すと考えられる。（３）の熱分解反応は、熱によって化学結合が切断されるものであり、（１）の酸化反応や（２）の加水分解反応に比べて高い温度で起こると考えられる。以上より、セルロースの加水分解反応は、絶縁紙の経年劣化による引張強度の低下に与える影響が大きいと考えられる。
【０００８】
絶縁紙の主成分であるセルロースは、経年劣化による分解により、ＣＯ、ＣＯ２、水（Ｈ２Ｏ）、及びフラン化合物等の低分子量の化合物を生成することが知られている。これらの化合物の生成量を評価することで、変圧器中の絶縁紙の劣化状態を推定し、機器の予防保全を実施することが行われている。変圧器のタンク内の水の量を分析して絶縁紙の劣化状態を推定するのは難しいため、従来は、主にＣＯ、ＣＯ２、及びフラン化合物等がセルロースの主な劣化指標として用いられる。
【０００９】
変圧器は、製造時に絶縁紙の乾燥処理と絶縁油の脱水処理が行われ、さらにタンクを密閉することで、外部からの水分の侵入を防いでいる。しかし、変圧器の運転時間の増加とともに、絶縁紙の経年劣化が進んで水が生成されることで、密閉されたタンク内の水の総量が増えると考えられる。
【００１０】
変圧器タンク内では、通常、水は、親和性の高い絶縁紙（例えば、クラフト紙）に吸着しており、親和性の低い鉱油にわずかに溶解している。このため、絶縁紙の経年劣化による水の生成は、鉱油の絶縁特性に対しては影響が小さいと考えられるが、セルロースの加水分解に大きな影響を与えることが考えられる。また、近年、変圧器への適用が増えているエステル油は、水との親和性が非常に高く、エステル油中のエステル結合が加水分解反応によって切断されると、酸とアルコールを生成することが知られている。
【００１１】
特許文献１には、絶縁油の循環を行う配管系統上に高分子系のフィルム材料を介して吸着剤ケースを着脱自在に取り付け、吸着剤ケース内に水分吸湿用の吸着剤を設けることにより、絶縁油から水分を除去する変圧器が記載されている。
【先行技術文献】
【特許文献】
【００１２】
【特許文献１】特開２００７−２２１０４７号公報
【発明の概要】
【発明が解決しようとする課題】
【００１３】
水を良く吸着するゼオライトやシリカのような吸着剤を絶縁油中に配置することによって、絶縁油中の水を除去することは可能である。これらの吸着剤は、水以外の化合物も吸着することから、吸着剤を直接、絶縁油中に配置すると、十分に水を吸着するのが難しいという課題がある。
【００１４】
また、これらの吸着剤は、単位重量当たり、一定の量の水しか吸着できない。このため、長期間にわたって変圧器を運転した場合、吸着剤の種類と量で決まる一定の期間が経過すると、その吸着性能が失われるという課題がある。この課題を解決するため、特許文献１に記載の変圧器では、吸着剤を着脱可能としており、吸着剤を定期的に交換することができる。しかし、通常、変圧器の運転中に吸着剤の交換作業を実施するのは難しく、安全に交換作業をするためには変圧器の運転を停止するのが望ましい。
【００１５】
吸着剤の吸着性能を回復させる方法として、吸着剤を加熱して吸着剤から水を放出させる方法が考えられる。しかし、吸着剤がゼオライトやシリカであると、水を放出させるためには高温で加熱する必要があり、吸着剤を絶縁油中に配置した場合には、絶縁油が熱劣化してしまうという課題がある。
【００１６】
本発明の目的は、運転を停止せずに効率良く、長期間にわたって、絶縁油中の水分を除去できる油入変圧器と、油入変圧器に設置可能な水分除去装置を提供することである。
【課題を解決するための手段】
【００１７】
本発明による油入変圧器は、鉄心と巻線とを収容したタンクと、前記タンクに収容された絶縁油と、前記タンクに接続され、前記タンクから前記絶縁油が流入し、前記絶縁油を冷却する冷却器と、前記絶縁油に含まれる水を吸着する第１の吸着剤と、前記第１の吸着剤を加熱する加熱装置とを備え、前記冷却器と前記タンクとに接続され、前記冷却器から前記絶縁油が流入し、前記タンクに前記絶縁油が流出する水吸着部と、前記絶縁油に含まれる水を吸着する第２の吸着剤を備え、前記水吸着部に接続され、前記水吸着部から流入した前記絶縁油に含まれる水を除去する吸着剤再生装置とを備える。
【発明の効果】
【００１８】
本発明によると、運転を停止せずに効率良く、長期間にわたって、絶縁油中の水分を除去できる油入変圧器と、油入変圧器に設置可能な水分除去装置を提供することができる。
【図面の簡単な説明】
【００１９】
【図１】本発明の実施例による油入変圧器の構成を示す模式図。
【発明を実施するための形態】
【００２０】
従来の油入変圧器では、タンク内の絶縁紙は、絶縁油中に水分が存在すると、主成分のセルロースが加水分解され、経年劣化を起こす。セルロースは、経年劣化による分解により水を生成する。このため、タンク内の水分を除去することが望まれている。
【００２１】
本発明による油入変圧器と水分除去装置は、油入変圧器の絶縁油中の水分を除去することで、油入変圧器のタンク内の水分の総量を減らすことができ、油入変圧器の絶縁材料として使用される絶縁体（特に、絶縁紙）と絶縁油（特に、エステル油）の経年劣化を抑制することができる。
【００２２】
さらに、本発明による油入変圧器と水分除去装置では、絶縁油から除去した水の量から、油入変圧器の劣化状態を診断することができる。
【００２３】
本発明による油入変圧器と水分除去装置は、油入変圧器の運転中に、水分を除去するための吸着剤を再生することができ、この吸着剤が交換不要であるため、油入変圧器の運転を停止せずに効率良く、油入変圧器が運用される長期間にわたって、絶縁油中の水分を除去できる。
【００２４】
以下、本発明の実施例による油入変圧器と水分除去装置について、図面を用いて説明する。
【実施例】
【００２５】
図１は、本発明の実施例による油入変圧器の構成を示す模式図である。本実施例による油入変圧器は、タンク１と、鉄心２と、鉄心２に巻かれた巻線である内側巻線３及び外側巻線４と、絶縁筒５と、絶縁油６と、窒素ガス７と、冷却器８と、本発明の実施例による水分除去装置とを備える。本実施例による水分除去装置については、後述する。
【００２６】
タンク１は、鉄心２と内側巻線３と外側巻線４と絶縁筒５と絶縁油６と窒素ガス７を収容している。
【００２７】
鉄心２は、その上部と下部にそれぞれ取り付けられた締付金具１０ａ、１０ｂによって締め付けられて保持されている。鉄心２は、その中心部に、絶縁油６が流入して鉄心２を冷却するための空洞部である油導入部１５を備える。
【００２８】
内側巻線３と外側巻線４は、絶縁体で被覆された電線で構成されている。鉄心２と内側巻線３との間、内側巻線３と外側巻線４との間、及び外側巻線４とタンク１との間には、絶縁体で構成された絶縁筒５が設けられている。また、内側巻線３と外側巻線４には、巻線３、４を構成する電線の間に挟まって絶縁体が設置されている。内側巻線３と外側巻線４に設けられたこれらの絶縁体や絶縁筒５を構成する絶縁体は、絶縁紙（例えば、クラフト紙、クレープ紙、及びプレスボード）、絶縁木、及びプラスチックのいずれか１つまたは複数を用いて構成することができる。以下では、内側巻線３と外側巻線４に設けられた絶縁体と絶縁筒５を構成する絶縁体は、絶縁紙で構成されているものとする。
【００２９】
絶縁油６は、鉄心２と内側巻線３と外側巻線４を絶縁し冷却する。絶縁油６には、油入変圧器で広く用いられている鉱油の他に、シリコーン液やエステル油などを用いることができる。
【００３０】
窒素ガス７は、タンク１の内部で絶縁油６の上方に存在する。
【００３１】
冷却器８は、タンク１の外部に設置され、タンク１の上部と下部にそれぞれ設置された配管９ａ、９ｂによってタンク１に接続されている。冷却器８は、フィンやファンを用いた空冷方式、または水冷方式により、タンク１の内部に収容されている絶縁油６を冷却する。配管９ａは、タンク１の絶縁油６を冷却器８に流す。配管９ｂは、冷却器８で冷却された絶縁油６をタンク１に流す。
【００３２】
絶縁油６は、タンク１の内部に備えられた鉄心２と内側巻線３と外側巻線４から発生するジュール熱を奪って鉄心２と内側巻線３と外側巻線４を冷却し、図１の矢印で示すように、上部の配管９ａを通ってタンク１の内部から冷却器８の内部に流れる。冷却器８に流入した絶縁油６は、冷却器８で冷却された後に、冷却器８からタンク１に流れる。絶縁油６は、対流により、またはポンプに駆動されて、タンク１と冷却器８とを循環する。
【００３３】
内側巻線３と外側巻線４の上方には、絶縁体１１、１２が設置されており、内側巻線３と外側巻線４の下方には、絶縁体１３、１４が設置されている。絶縁体１１、１２、１３、１４は、絶縁紙（例えば、クラフト紙、クレープ紙、及びプレスボード）、絶縁木、及びプラスチックで構成することができる。以下では、絶縁体１１、１２、１３、１４は、絶縁紙で構成されているものとする。
【００３４】
本実施例による油入変圧器は、水吸着部１９と、吸着剤再生装置２１を備える。水吸着部１９と吸着剤再生装置２１は、本実施例による水分除去装置を構成する。
【００３５】
水吸着部１９は、水の吸着剤１７と、加熱装置１８と、これらを収容する容器を備え、冷却器８で冷却された絶縁油６に含まれる水を除去する。
【００３６】
水の吸着剤１７は、絶縁油６に含まれる水を吸着して除去する。水の吸着剤１７には、水との親和性が高い絶縁紙（例えば、クラフト紙、及びアラミド紙）を用いることができる。
【００３７】
加熱装置１８は、水の吸着剤１７を加熱できる位置に設置され、水の吸着剤１７を加熱して、水の吸着剤１７に吸着した水を水吸着部１９の中の絶縁油に溶出させる。加熱装置１８には、水の吸着剤１７を加熱できれば、任意のものを用いることができる。
【００３８】
水吸着部１９は、配管１６ａによって冷却器８に接続され、冷却器８で冷却された絶縁油６が冷却器８から流入する。また、水吸着部１９は、配管１６ｂによってタンク１に接続され、水の吸着剤１７で水が除去された絶縁油６が矢印で示すようにタンク１に流出する。配管１６ａは、冷却器８で冷却された絶縁油６を水吸着部１９に流す。配管１６ｂは、タンク１の下部に接続し、水の吸着剤１７で水が除去された絶縁油６をタンク１に流す。絶縁油６は、対流により、またはポンプに駆動されて、冷却器８と水吸着部１９とタンク１とを循環する。
【００３９】
吸着剤再生装置２１は、水の吸着剤２２と、水の吸着剤２２を収容する容器を備え、水吸着部１９から流入した絶縁油６に含まれる水を除去する。
【００４０】
水の吸着剤２２は、絶縁油６に含まれる水を吸着して除去する。水の吸着剤２２には、例えばゼオライトやシリカを用いることができる。
【００４１】
吸着剤再生装置２１は、配管２０ａと配管２０ｂによって水吸着部１９に接続されている。吸着剤再生装置２１には、加熱装置１８で水の吸着剤１７が加熱されて水が溶出した絶縁油６が、配管２０ａによって水吸着部１９から流入する。また、吸着剤再生装置２１は、水の吸着剤２２で水が除去された絶縁油６が、配管２０ｂによって水吸着部１９に流出する。配管２０ａは、水吸着部１９で水が溶出した絶縁油６を吸着剤再生装置２１に流す。配管２０ｂは、吸着剤再生装置２１で水が除去された絶縁油６を水吸着部１９に流して戻す。絶縁油６は、ポンプに駆動されて、水吸着部１９と吸着剤再生装置２１とを循環する。
【００４２】
以下、本実施例による油入変圧器において、絶縁油６の流れを制御して、絶縁油６に含まれる水分を除去する手順を説明する。なお、配管９ａ、９ｂ、１６ａ、１６ｂ、２０ａ、２０ｂに設けられたバルブは、作業員または制御装置により開閉が操作される。
【００４３】
通常の運転時には、油入変圧器は、配管９ａ、９ｂに設けられたバルブが開いており、配管１６ａ、１６ｂと配管２０ａ、２０ｂに設けられたバルブが閉じている。これにより、絶縁油６は、タンク１から配管９ａを通って冷却器８に流れ、冷却器８で冷却された後、冷却器８から配管９ｂを通ってタンク１に流れる。
【００４４】
絶縁油６に含まれる水分を除去する場合には、油入変圧器は、配管９ｂに設けられたバルブが閉じられ、配管１６ａ、１６ｂに設けられたバルブが開かれる。配管９ａに設けられたバルブは、開いたままであり、配管２０ａ、２０ｂに設けられたバルブは、閉じたままである。これにより、絶縁油６は、タンク１から配管９ａを通って冷却器８に流れ、冷却器８で冷却された後、冷却器８から配管１６ａを通って水吸着部１９に流れる。
【００４５】
水吸着部１９に備えられている水の吸着剤１７は、水吸着部１９に流入した絶縁油６に含まれる水を吸着して除去する。冷却器８で冷却され水の吸着剤１７で水が除去された絶縁油６は、水吸着部１９から配管１６ｂを通ってタンク１に流れ、内側巻線３と外側巻線４を冷却する。
【００４６】
このようにして、内側巻線３と外側巻線４を冷却して温度が上昇した絶縁油６は、タンク１から配管９ａを通って冷却器８に流れ、冷却器８で冷却され、冷却器８から配管１６ａを通って水吸着部１９に流れ、水吸着部１９で水分が除去される。水吸着部１９で絶縁油６から水分を除去するのは、水の吸着剤１７の種類と量で決まる一定時間にわたって行う。
【００４７】
この一定時間の間に水吸着部１９で絶縁油６から水分を除去したら、配管９ｂに設けられたバルブが開かれ、配管１６ａ、１６ｂに設けられたバルブが閉じられる。配管９ａに設けられたバルブは、開いたままであり、配管２０ａ、２０ｂに設けられたバルブは、閉じたままである。配管９ｂに設けられたバルブが開かれるので、絶縁油６は、タンク１から配管９ａを通って冷却器８に流れ、冷却器８で冷却された後、冷却器８から配管９ｂを通ってタンク１に流れる。絶縁油６は、冷却器８から水吸着部１９に流入せず、水吸着部１９からタンク１に流出しない。水吸着部１９の内部には、タンク１に流れなかった絶縁油６が存在する。
【００４８】
この状態で（すなわち、絶縁油６が、冷却器８から水吸着部１９に流入せず、水吸着部１９からタンク１に流出しないときに）、加熱装置１８は、水の吸着剤１７を加熱する。水の吸着剤１７は、加熱されると、吸着している水を水吸着部１９の中の絶縁油６に放出する。水の吸着剤１７から放出された水は、絶縁油６に溶出する。加熱装置１８は、水の吸着剤１７と絶縁油６が劣化しないような温度と時間で、水の吸着剤１７を加熱する。
【００４９】
加熱装置１８が水の吸着剤１７を加熱すると、配管２０ａ、２０ｂに設けられたバルブが開かれる。加熱により水の吸着剤１７から放出された水が溶出した絶縁油６は、水吸着部１９から配管２０ａを通って吸着剤再生装置２１に流入する。吸着剤再生装置２１に流入した絶縁油６は、含んでいる水が除去されて、配管２０ｂを通って水吸着部１９に流れて戻る。
【００５０】
吸着剤再生装置２１は、水吸着部１９から流入した絶縁油６に含まれている水を、水の吸着剤２２によって除去する。絶縁油６が水吸着部１９と吸着剤再生装置２１とを循環することで、水の吸着剤１７から放出された水は、水の吸着剤２２に吸着されて除去される。
【００５１】
このようにして、水吸着部１９の水の吸着剤１７は、吸着した水を放出して水の吸着性能を回復し、再生することができる。水の吸着剤１７の再生は、水の吸着剤１７の種類と量と、吸着剤再生装置２１の水の吸着剤２２の種類と量と、水の吸着剤１７の加熱時間とに応じて決まる一定時間にわたって行う。
【００５２】
水の吸着剤１７の再生が終了したら、加熱装置１８による水の吸着剤１７の加熱が停止され、配管２０ａ、２０ｂに設けられたバルブが閉じられる。この後、油入変圧器は、配管９ｂに設けられたバルブが開き、配管１６ａ、１６ｂに設けられたバルブが閉じた状態で、通常の運転を行ってもよいし、配管９ｂに設けられたバルブが閉じられ、配管１６ａ、１６ｂに設けられたバルブが開かれて、絶縁油６に含まれる水を水吸着部１９で除去してもよい。
【００５３】
絶縁油６に含まれる水分を水吸着部１９で除去するのは、任意の時期に行うことができ、例えば、予め定めた時間の経過ごとに定期的に行うことができる。
【００５４】
水の吸着剤２２は、配管２０ａ、２０ｂに設けられたバルブが閉じており、水の吸着剤１７の再生を実施していないときに、必要に応じて交換することができる。
【００５５】
本実施例による油入変圧器は、このようにして、油入変圧器の運転中に、水吸着部１９が備える水の吸着剤１７で絶縁油６から水分を除去するとともに、吸着剤再生装置２１で水の吸着剤１７を再生することができる。水の吸着剤１７が再生可能で交換不要であるため、本実施例による油入変圧器は、運転を停止せずに効率良く、油入変圧器が運用される長期間にわたって、絶縁油６中の水分を除去できる。
【００５６】
水の吸着剤１７を構成する絶縁紙は、加熱装置１８で加熱されるので、耐熱紙で構成されるのが好ましい。水の吸着剤１７に耐熱紙を用いると、加熱装置１８で繰り返し加熱されることによる劣化を抑制することができる。耐熱紙には、任意のものを用いることができ、例えば、アミン添加紙やアラミド紙などを用いることができる。
【００５７】
本実施例による油入変圧器を用いると、絶縁油６から除去した水の量、すなわち水の吸着剤１７に吸着した水の量から、タンク１内の絶縁紙が経年劣化により分解して生成した水の量を推定できる。タンク１内の絶縁紙の経年劣化で生成された水の量は、例えば、次の方法で求めることができる。絶縁紙が経年劣化により生成する標準的な水の量を、実験により、または過去のデータを利用することにより、求めておく。次に、既存の方法を用いて、水の吸着剤２２に吸着した水の量を求め、求めた水の量から水の吸着剤１７に吸着した水の量を推定する。この推定した水の量と上記の標準的な水の量とから、タンク１内の絶縁紙の経年劣化で生成された水の量を推定することができる。
【００５８】
また、本実施例による油入変圧器を用いると、タンク１内の絶縁紙が経年劣化により分解して生成した水の量を推定することで、タンク１内の絶縁紙の劣化状態を正確に診断することができ、油入変圧器の劣化状態の診断精度を向上することができる。
【００５９】
タンク１内の絶縁紙の経年劣化で生成された水の量の推定と油入変圧器の劣化状態の診断は、コンピュータが実行してもよく、作業員が実行してもよい。
【００６０】
本実施例による油入変圧器が備える水分除去装置、すなわち水吸着部１９と吸着剤再生装置２１は、既存の油入変圧器（鉄心と巻線と絶縁油を収容したタンクと、絶縁油を冷却する冷却器とを備える油入変圧器）に設置することができる。本実施例による水分除去装置を用いると、既存の油入変圧器でも、油入変圧器の運転中に、水の吸着剤１７で絶縁油６から水分を除去するとともに、水の吸着剤１７を再生することができ、絶縁紙が経年劣化により分解して生成した水の量を推定でき、油入変圧器の劣化状態をより高精度に診断することができる。
【００６１】
なお、本発明は、上記の実施例に限定されるものではなく、様々な変形が可能である。例えば、上記の実施例は、本発明を分かりやすく説明するために詳細に説明したものであり、本発明は、必ずしも説明した全ての構成を備える態様に限定されるものではない。また、ある実施例の構成の一部を他の実施例の構成に置き換えることが可能である。また、ある実施例の構成に他の実施例の構成を加えることも可能である。また、各実施例の構成の一部について、削除したり、他の構成を追加・置換したりすることが可能である。
【符号の説明】
【００６２】
１…タンク、２…鉄心、３…内側巻線、４…外側巻線、５…絶縁筒、６…絶縁油、７…窒素ガス、８…冷却器、９ａ、９ｂ…配管、１０ａ、１０ｂ…締付金具、１１、１２、１３、１４…絶縁体、１５…油導入部、１６ａ、１６ｂ…配管、１７…水の吸着剤、１８…加熱装置、１９…水吸着部、２０ａ、２０ｂ…配管、２１…吸着剤再生装置、２２…水の吸着剤。
【図１】
2020123682.tif 000003